(57)【要約】【課題】長尺状の単結晶を製造可能な単結晶の製造装置および製造方法を提供する。【解決手段】単結晶の製造装置１０は、成長容器１と、加熱部２と、冷却部２０とを有する。成長容器１は、原料１４および種基板１３を収容するためのものである。加熱部２は、原料１４が昇華するように成長容器１を加熱するためのものである。冷却部２０は、種基板保持部１２から熱を吸収するように種基板保持部１２に対向して配置されている。成長容器１は、原料１４が配置される収容部１５と、収容部１５と接して配置され、かつ種基板１３を保持するための種基板保持部１２とを含む。冷却部２０は、種基板保持部１２からの単位時間あたりの吸熱量を変化可能に構成されている。【選択図】図１
2014005159.tif 000002
【特許請求の範囲】
【請求項１】
単結晶の製造装置であって、
原料および種基板を収容するための成長容器と、
前記原料が昇華するように前記成長容器を加熱するための加熱部とを備え、
前記成長容器は、前記原料が配置される収容部と、前記収容部と接して配置され、かつ前記種基板を保持するための種基板保持部とを含み、
前記単結晶の製造装置はさらに、
前記種基板保持部から熱を吸収するように前記種基板保持部に対向して配置された冷却部を備え、
前記冷却部は、前記種基板保持部からの単位時間あたりの吸熱量を変化可能に構成されている、単結晶の製造装置。
【請求項２】
前記成長容器を囲うように形成された断熱部をさらに備え、
前記冷却部は、前記種基板保持部に対向して配置された吸熱体と、前記吸熱体に接続された伝熱部とを含み、
前記吸熱体は、前記断熱部と前記種基板保持部との間に配置され、前記伝熱部は、前記吸熱体から前記断熱部を貫通して前記断熱部の外側へ延在するように配置されている、請求項１に記載の単結晶の製造装置。
【請求項３】
前記冷却部は、前記伝熱部を介して前記吸熱体と接続された冷却機構をさらに含み、
前記冷却機構は、前記吸熱体を能動的に冷却することにより前記種基板保持部から熱を吸収可能である、請求項２に記載の単結晶の製造装置。
【請求項４】
前記冷却部は、前記吸熱体を前記種基板保持部に近づく方向に移動させるための移動機構を含む、請求項２に記載の単結晶の製造装置。
【請求項５】
前記種基板保持部の温度を測定するための温度計をさらに備えた、請求項１〜４のいずれか１項に記載の単結晶の製造装置。
【請求項６】
種基板を種基板保持部によって保持する工程と、
原料を昇華させることにより前記種基板上に単結晶を成長させる工程とを備え、
前記単結晶を成長させる工程は、冷却部により前記種基板保持部の熱を吸収する工程を含み、
前記種基板保持部の熱を吸収する工程は、前記単結晶が成長するにつれて前記種基板保持部からの単位時間あたりの吸熱量を増加させる工程を有する、単結晶の製造方法。
【請求項７】
前記種基板保持部からの単位時間あたりの吸熱量を増加させる工程は、前記種基板保持部に対向して設けられた吸熱体を冷却機構により能動的に冷却することにより行われる、請求項６に記載の単結晶の製造方法。
【請求項８】
前記種基板保持部からの単位時間あたりの吸熱量を増加させる工程は、前記種基板保持部に対向して設けられた吸熱体と前記種基板保持部との距離を小さくすることにより行われる、請求項６に記載の単結晶の製造方法。
【請求項９】
前記種基板保持部の温度を測定する工程をさらに備え、
前記種基板保持部からの単位時間あたりの吸熱量を増加させる工程では、前記種基板保持部の温度に基づいて前記単位時間あたりの吸熱量が調整される、請求項６〜８のいずれか１項に記載の単結晶の製造方法。
【発明の詳細な説明】
【技術分野】
【０００１】
この発明は、単結晶の製造装置および製造方法に関し、より特定的には昇華法による単結晶の製造装置および製造方法に関する。
【背景技術】
【０００２】
近年、半導体装置の製造用に炭化珪素基板が用いられ始めている。炭化珪素は珪素に比べて大きなバンドギャップを有する。そのため、炭化珪素基板を用いた半導体装置は、耐圧が高く、オン抵抗が低く、また高温環境下での特性の劣化が小さいといった利点を有する。
【０００３】
たとえば特開平０６−１６９９号公報（特許文献１）、特表２００３−５２７２９５号公報（特許文献２）および特開２０００−２１９５９４号公報（特許文献３）において、昇華法により炭化珪素単結晶を成長させる技術が記載されている。
【先行技術文献】
【特許文献】
【０００４】
【特許文献１】特開平０６−１６９９号公報
【特許文献２】特表２００３−５２７２９５号公報
【特許文献３】特開２０００−２１９５９４号公報
【発明の概要】
【発明が解決しようとする課題】
【０００５】
上記方法によれば、坩堝に炭化珪素原料および種基板が配置され、炭化珪素原料が加熱されることにより昇華する。昇華した炭化珪素原料は種基板上で再結晶することにより種基板上で炭化珪素単結晶が成長する。
【０００６】
しかしながら、昇華法により種基板上に成長する単結晶の成長速度は、単結晶が成長するにつれて遅くなる。それゆえ、長尺状の単結晶を得ることは困難であった。
【０００７】
この発明は、上記のような課題を解決するために成されたものであり、その目的は、長尺状の単結晶を製造可能な単結晶の製造装置および製造方法を提供することである。
【課題を解決するための手段】
【０００８】
本発明者は、昇華法における単結晶の成長速度について鋭意研究の結果、以下の知見を得た。昇華法によって種基板上に単結晶が成長するにつれて、単結晶の表面が原料に近づく。そのため、単結晶の温度が高くなることにより、単結晶と原料との温度差が小さくなる。結果として、種基板上に成長する単結晶の成長速度は単結晶が成長するにつれて小さくなり、長尺状の結晶が得られない。
【０００９】
本発明に係る単結晶の製造装置は、成長容器と、加熱部と、冷却部とを有する。成長容器は、原料および種基板を収容するためのものである。加熱部は、原料が昇華するように成長容器を加熱するためのものである。冷却部は、種基板保持部から熱を吸収するように種基板保持部に対向して配置されている。成長容器は、原料が配置される収容部と、収容部と接して配置され、かつ種基板を保持するための種基板保持部とを含む。冷却部は、種基板保持部からの単位時間あたりの吸熱量を変化可能に構成されている。
【００１０】
本発明に係る単結晶の製造装置によれば、冷却部は、種基板保持部からの単位時間あたりの吸熱量を変化可能に構成されている。種基板保持部からの単位時間あたりの吸熱量を増加させることにより、種基板上に成長した単結晶の温度上昇を抑制することができる。これにより、種基板上に成長した単結晶の表面温度と原料の温度との差を大きく維持することができる。結果として、種基板上に成長する単結晶の成長速度が単結晶の成長につれて小さくなることを抑制することができるので、長尺状の単結晶を得ることができる。
【００１１】
上記の単結晶の製造装置において好ましくは、成長容器を囲うように形成された断熱部をさらに有する。冷却部は、種基板保持部に対向して配置された吸熱体と、吸熱体に接続された伝熱部とを含む。吸熱体は、断熱部と種基板保持部との間に配置され、伝熱部は、吸熱体から断熱部を貫通して断熱部の外側へ延在するように配置されている。
【００１２】
種基板保持部に対向して配置された吸熱体と断熱部の外側へ延在するように配置されている伝熱部により、効率的に種基板保持部の温度を低減することができる。
【００１３】
上記の単結晶の製造装置において好ましくは、冷却部は、伝熱部を介して吸熱体と接続された冷却機構をさらに含む。冷却機構は、吸熱体を能動的に冷却することにより種基板保持部から熱を吸収可能である。これにより、効率的に種基板保持部の温度を低減することができる。
【００１４】
上記の単結晶の製造装置において好ましくは、冷却部は、吸熱体を種基板保持部に近づく方向に移動させるための移動機構を含む。これにより、単結晶が成長するにつれて、種基板保持部の吸熱量を増加させることができる。
【００１５】
上記の単結晶の製造装置において好ましくは、種基板保持部の温度を測定するための温度計をさらに有する。これにより、精度良く種基板保持部の温度を低減することができる。
【００１６】
本発明に係る単結晶の製造方法は以下の工程を有している。種基板が種基板保持部によって保持される。原料を昇華させることにより種基板上に単結晶が成長する。単結晶を成長させる工程は、冷却部により種基板保持部の熱を吸収する工程を含む。種基板保持部の熱を吸収する工程は、単結晶が成長するにつれて種基板保持部からの単位時間あたりの吸熱量を増加させる工程を有する。
【００１７】
本発明に係る単結晶の製造方法によれば、種基板保持部の熱を吸収する工程は、単結晶が成長するにつれて種基板保持部からの単位時間あたりの吸熱量を増加させる工程を有する。種基板保持部からの単位時間あたりの吸熱量を増加させることにより、種基板上に成長した単結晶の温度上昇を抑制することができる。これにより、種基板上に成長した単結晶の表面温度と原料の温度との差を大きく維持することができる。結果として、種基板上に成長する単結晶の成長速度が単結晶の成長につれて小さくなることを抑制することができるので、長尺状の単結晶を得ることができる。
【００１８】
上記の単結晶の製造方法において好ましくは、種基板保持部からの単位時間あたりの吸熱量を増加させる工程は、種基板保持部に対向して設けられた吸熱体を冷却機構により能動的に冷却することにより行われる。これにより、効率的に種基板保持部の温度を低減することができる。
【００１９】
上記の単結晶の製造方法において好ましくは、種基板保持部からの単位時間あたりの吸熱量を増加させる工程は、種基板保持部に対向して設けられた吸熱体と種基板保持部との距離を小さくすることにより行われる。これにより、種基板上に成長する単結晶の成長速度が単結晶の成長につれて小さくなることを抑制することができるので、効率的に長尺状の単結晶を得ることができる。
【００２０】
上記の単結晶の製造方法において好ましくは、種基板保持部の温度を測定する工程をさらに有する。種基板保持部からの単位時間あたりの吸熱量を増加させる工程では、種基板保持部の温度に基づいて単位時間あたりの吸熱量が調整される。これにより、精度良く種基板保持部の温度を低減することができる。
【発明の効果】
【００２１】
本発明によれば、長尺状の単結晶を製造可能な単結晶の製造装置および製造方法を提供することができる。
【図面の簡単な説明】
【００２２】
【図１】本発明の実施の形態１に係る単結晶の製造装置の構成を概略的に示す断面模式図である。
【図２】断熱部と伝熱部との位置関係を説明するための概略斜視図である。
【図３】本発明の実施の形態２に係る単結晶の製造装置の構成を概略的に示す断面模式図である。
【図４】本発明の実施の形態３に係る単結晶の製造装置の構成を概略的に示す断面模式図である。
【図５】本発明の実施の形態１における単結晶の製造方法を概略的に示すフロー図である。
【発明を実施するための形態】
【００２３】
以下、図面に基づいて本発明の実施の形態について説明する。なお、以下の図面において同一または相当する部分には同一の参照番号を付しその説明は繰返さない。
【００２４】
（実施の形態１）
図１および図２を参照して、本発明の実施の形態１に係る単結晶の製造装置の構成について説明する。
【００２５】
本実施の形態に係る単結晶の製造装置は、成長容器１と、加熱部２と、冷却部２０と、断熱部４と、金属容器６とを主に有している。成長容器１は、たとえば炭化珪素からなる原料１４と、原料１４に対向して配置された種基板１３とを収容するための坩堝である。成長容器１は、原料１４が配置される収容部１５と、種基板１３を保持するための種基板保持部１２とを有している。種基板保持部１２は、収容部１５と接しており、収容部１５の蓋である。
【００２６】
加熱部２は、成長容器１の収容部１５に収容されている原料１４を加熱するためのものであり、収容部１５に対向して配置されている。加熱部２は、たとえば抵抗型の発熱体からなる。発熱体とは、たとえばカーボンである。加熱部２には、加熱部２に電流を印加するための電流導入部３が接続されている。電流導入部３は電極５と電気的に接続されている。電極５から電流導入部３を通って加熱部２に電流が供給可能である。成長容器１は図示されていないカーボン材で断熱部４に固定されている。
【００２７】
冷却部２０は、種基板保持部１２から熱を吸収するように種基板保持部１２に対向して配置されている。冷却部２０は、種基板保持部１２からの単位時間あたりの吸熱量を変化可能に構成されている。冷却部２０は、種基板保持部１２に対向して配置された吸熱体１６と、吸熱体１６に接続された伝熱部１７と、伝熱部１７を冷却するための冷却機構１８とを有する。伝熱部１７の一端１７ａは吸熱体１６と接し、他端１７ｂは冷却機構１８と接する。吸熱体１６および伝熱部１７はたとえばカーボンからなる。冷却機構１８は、伝熱部１７を冷却することにより、伝熱部１７と接続されている吸熱体１６を能動的に冷却するためのものである。冷却機構１８は、たとえば吸熱体１６よりも低い温度を有する冷却液を伝熱部１７と接触させることにより吸熱体１６を能動的に冷却可能な機構である。冷却機構１８は、たとえば吸熱体１６よりも低い温度を有する冷風を伝熱部１７に吹きかけることにより吸熱体１６を強制的に冷却するシステムであってもよい。好ましくは、冷却機構１８は吸熱体１６の温度を調整するための機構を有している。
【００２８】
断熱部４は、成長容器１を囲うように形成されており、成長容器１を外部から断熱するためのものである。断熱部４は、たとえばカーボン繊維成形材やフェルトなどからなる。断熱部４ａは、加熱部２と金属容器６との間に配置されている。断熱部４ｂは、断熱部４ｂの側壁面４ｆが成長容器１を取り囲むように配置されている。断熱部４ｂには、断熱部４ｂの外壁面４ｃと内壁面４ｄとを貫通する貫通孔４ｅが形成されている。当該貫通孔４ｅを通って、吸熱体１６と接続されている伝熱部１７が断熱部４の内側から外側へ延在して配置されている。伝熱部１７は、さらに金属容器６の外部にまで延在している。吸熱体１６は、断熱部４ｂの内壁面４ｄと種基板保持部１２との間に配置されている。
【００２９】
図１を参照して、実施の形態１に係る炭化珪素単結晶の製造方法について説明する。
図１を参照して、種基板保持工程（図５：Ｓ１０）が実施される。種基板保持工程（Ｓ１０）においては、種基板１３が種基板保持部１２により保持される。種基板１３は、たとえば円板状であり炭化珪素単結晶から成る。また、種基板１３のポリタイプはたとえば４Ｈであり、直径はたとえば６インチである。収容部１５には、たとえば多結晶炭化珪素からなる原料１４が配置される。原料１４は、種基板１３に対向して配置される。
【００３０】
次に、単結晶成長工程（図５：Ｓ２０）が実施される。具体的には、金属容器６を真空排気しながら成長容器１の温度を１５００℃程度にまで昇温する。金属容器６にアルゴン（Ａｒ)を充填して内圧をたとえば９０ｋＰａにする。成長容器１を加熱部２によって加熱することで、成長容器１の温度をたとえば２０００℃以上２４００℃以下程度に昇温する。昇温中、１ｓｌｍ程度のＡｒガスを流しながら成長炉の圧力をたとえば９０ｋＰａに保持する。上記成長温度に到達した後、Ａｒの圧力をたとえば０．１ｋＰａ以上５ｋＰａ以下程度に減圧することにより、炭化珪素からなる原料１４が昇華して、種基板１３上に炭化珪素単結晶の成長が開始される。なお、炭化珪素単結晶が成長する工程においては、原料１４の温度は種基板１３の温度よりも高く設定される。
【００３１】
炭化珪素単結晶を成長させる工程においては、冷却部２０により種基板保持部１２の熱が吸収される。具体的には、炭化珪素単結晶が成長するにつれて種基板保持部１２からの単位時間あたりの吸熱量を増加させる。種基板保持部１２からの単位時間あたりの吸熱量を増加させる工程は、種基板保持部１２に対向して設けられた吸熱体１６を冷却機構１８により能動的に冷却することにより行われる。具体的には、たとえば吸熱体１６よりも低い温度を有する冷却液を伝熱部１７と接触させることにより吸熱体１６を能動的に冷却する。そして、炭化珪素単結晶が成長するにつれて（つまり時間の経過とともに）、伝熱部１７と接触する冷却液の量を増加させたり、伝熱部１７と接触する冷却液の温度を下げることにより、種基板保持部１２からの単位時間あたりの吸熱量を増加させる。
【００３２】
なお、単結晶が成長するにつれて種基板保持部１２からの単位時間あたりの吸熱量を増加させるとは、単結晶の成長開始時点における単位時間あたりの吸熱量と比較して、成長終了時点において単位時間あたりの吸熱量が増加しておればよく、成長途中段階において、一時的に単位時間あたりの吸熱量が減少しても構わない。
【００３３】
また、本実施の形態において、単結晶として炭化珪素単結晶を例に挙げて説明したがこの材料に限定されない。単結晶としては、炭化珪素の他にたとえばシリコンや窒化ガリウムなどが挙げられる。
【００３４】
次に、実施の形態１の作用効果について説明する。
実施の形態１に係る単結晶の製造装置によれば、冷却部２０は、種基板保持部１２からの単位時間あたりの吸熱量を変化可能に構成されている。また、実施の形態１に係る単結晶の製造方法によれば、種基板保持部１２の熱を吸収する工程は、単結晶が成長するにつれて種基板保持部１２からの単位時間あたりの吸熱量を増加させる工程を有する。種基板保持部１２からの単位時間あたりの吸熱量を増加させることにより、種基板１３上に成長した単結晶の温度上昇を抑制することができる。これにより、種基板１３上に成長した単結晶の表面温度と原料の温度との差を大きく維持することができる。結果として、種基板１３上に成長する単結晶の成長速度が単結晶の成長につれて小さくなることを抑制することができるので、長尺状の単結晶を得ることができる。
【００３５】
また、実施の形態１に係る単結晶の製造装置によれば、種基板保持部１２に対向して配置された吸熱体１６と断熱部４の外側へ延在するように配置されている伝熱部１７により、効率的に種基板保持部１２の温度を低減することができる。
【００３６】
さらに、実施の形態１に係る単結晶の製造装置によれば、冷却部２０は、伝熱部１７を介して吸熱体１６と接続された冷却機構１８をさらに含んでいる。冷却機構１８は、吸熱体１６を能動的に冷却することにより種基板保持部１２から熱を吸収可能である。また、種基板保持部１２からの単位時間あたりの吸熱量を増加させる工程は、種基板保持部１２に対向して設けられた吸熱体１６を冷却機構１８により能動的に冷却することにより行われる。これにより、効率的に種基板保持部１２の温度を低減することができる。
【００３７】
（実施の形態２）
図３を参照して、本発明の実施の形態２に係る単結晶の製造装置の構成について説明する。
【００３８】
実施の形態２に係る単結晶の製造装置は、実施の形態１に係る単結晶の製造装置における冷却機構１８の代わりに移動機構２１を有している点において実施の形態１に係る単結晶の製造装置と異なっており、他の点については実施の形態１に係る単結晶の製造装置と同様の構成を有している。
【００３９】
図３に示すように、実施の形態２に係る単結晶の製造装置１０の冷却部２０は、吸熱体１６と、伝熱部１７と、移動機構２１とを有している。移動機構２１は、吸熱体１６を種基板保持部１２に近づく方向に移動させるためのものである。具体的には、たとえば移動機構２１により伝熱部１７を降下させることにより、吸熱体１６が種基板保持部１２に接近するように構成されている。好ましくは、移動機構２１は、吸熱体１６を伝熱部１７が延在する方向に沿って上方向および下方向に移動可能に構成されている。
【００４０】
次に、実施の形態２に係る炭化珪素単結晶の製造方法について説明する。
実施の形態２に係る単結晶の製造装置は、種基板保持部１２から単位時間あたりの吸熱量を増加させる方法において実施の形態１に係る単結晶の製造方法と異なっており、他の点については実施の形態１に係る単結晶の製造方法と同様である。
【００４１】
具体的には、実施の形態２に係る単結晶の製造方法は、単結晶が成長するにつれて種基板保持部１２からの単位時間あたりの吸熱量を増加させる工程を有している。当該工程は、種基板保持部１２に対向して設けられた吸熱体１６と種基板保持部１２との距離を小さくすることにより行われる。具体的には、図３を参照して、たとえば伝熱部１７を移動機構２１を用いて図中下側へ移動させることにより、吸熱体１６と種基板保持部１２との距離を炭化珪素単結晶が成長するにつれて（成長時間の経過とともに）小さくする。言い換えれば、種基板１３上に成長する炭化珪素単結晶の厚みが小さいときは吸熱体１６と種基板保持部１２との距離は大きく、炭化珪素単結晶の厚みが大きいときは吸熱体１６と種基板保持部１２との距離は小さくなるように、吸熱体１６と種基板保持部１２との距離が移動機構２１により調整される。
【００４２】
次に、実施の形態２の作用効果について説明する。
実施の形態２に係る単結晶の製造装置において、冷却部２０は、吸熱体１６を種基板保持部１２に近づく方向に移動させるための移動機構２１を含む。また、実施の形態２に係る単結晶の製造方法において、種基板保持部１２からの単位時間あたりの吸熱量を増加させる工程は、種基板保持部１２に対向して設けられた吸熱体１６と種基板保持部１２との距離を小さくすることにより行われる。これにより、単結晶が成長するにつれて、種基板保持部１２の吸熱量を増加させることができる。
【００４３】
（実施の形態３）
図４を参照して、本発明の実施の形態３に係る単結晶の製造装置の構成について説明する。
【００４４】
実施の形態３に係る単結晶の製造装置は、実施の形態２に係る単結晶の製造装置に加えて種基板保持部１２の温度を測定するための温度計２２を有している点において実施の形態２に係る単結晶の製造装置と異なっており、他の点については実施の形態２に係る単結晶の製造装置と同様の構成を有している。
【００４５】
図４に示すように、実施の形態３に係る単結晶の製造装置１０は、種基板保持部１２の温度を測定するための温度計２２を有している。温度計２２は、たとえば放射温度計であり、物体から放射される赤外線や可視光線などの強度を測定して、物体の温度を測定可能である。温度計２２は、金属容器６の外部であって、伝熱部１７の上方に配置されている。伝熱部１７には、両端面を貫通する貫通孔１７ｃが形成されている。言い換えれば、伝熱部１７は円筒状を有している。吸熱体１６には、伝熱部１７の貫通孔１７ｃと連接する貫通孔１６ｃが形成されている。これにより、放射温度計は、吸熱体１６の貫通孔１６ｃおよび伝熱部１７の貫通孔１７ｃを通して、種基板保持部１２の温度を測定可能である。
【００４６】
また、実施の形態３に係る単結晶の製造装置は、放射温度計により測定された種基板保持部１２の温度に基づいて吸熱体１６と種基板保持部１２との距離を調整できるようなフィードバック機構（図示せず）を有している。
【００４７】
次に、実施の形態３に係る炭化珪素単結晶の製造方法について説明する。
実施の形態３に係る単結晶の製造装置は、種基板保持部１２の温度を測定する工程を有している点において実施の形態２に係る単結晶の製造方法と異なっており、他の点については実施の形態２に係る単結晶の製造方法と同様である。
【００４８】
具体的には、実施の形態３に係る単結晶の製造方法は、種基板保持部１２の温度を測定する工程を有している。種基板保持部１２の温度は、たとえば放射温度計により、吸熱体１６の貫通孔１６ｃおよび伝熱部１７の貫通孔１７ｃを通して測定される。
【００４９】
種基板保持部１２からの単位時間あたりの吸熱量を増加させる工程では、上記種基板保持部１２の温度測定工程で測定された温度に基づいて種基板保持部１２からの単位時間あたりの吸熱量が調整される。具体的には、種基板保持部１２の温度が高いときは、吸熱体１６は、種基板保持部１２に近づく方向に移動することにより、単位時間あたりの吸熱量が大きくなるように調整される。種基板保持部１２の温度が低いときは、吸熱体１６は、種基板保持部１２から遠ざかる方向に移動することにより、単位時間あたりの吸熱量が小さくなるように調整される。
【００５０】
次に、実施の形態３の作用効果について説明する。
実施の形態３に係る単結晶の製造装置は、種基板保持部１２の温度を測定するための温度計２２をさらに有する。また、実施の形態３に係る単結晶の製造方法は、種基板保持部１２の温度を測定する工程をさらに有する。種基板保持部１２からの単位時間あたりの吸熱量を増加させる工程では、当該温度に基づいて単位時間あたりの吸熱量が調整される。これにより、精度良く種基板保持部１２の温度を低減することができる。結果として、長尺状の単結晶の製造が可能となる。
【００５１】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００５２】
１  成長容器、２  加熱部、３  電流導入部、４，４ａ，４ｂ  断熱部、５  電極、６  金属容器、１０  製造装置、１２  種基板保持部、１３  種基板、１４  原料、１５  収容部、１６  吸熱体、１７  伝熱部、１８  冷却機構、２０  坩堝、２１  移動機構、２２  温度計。
【図１】
2014005159.tif 000003
【図２】
2014005159.tif 000004
【図３】
2014005159.tif 000005
【図４】
2014005159.tif 000006
【図５】
2014005159.tif 000007